(57)【要約】      （修正有）【課題】音源ジャックから容易に取り外すことができ、それぞれ独立した部材からなり製造に有利な音源ジャック保護プラグを提供する。【解決手段】音源ジャック保護プラグ１００は、挿着部材１及び装飾部材２を備える。挿着部材１は、結合部１３と、凸縁部１２と、音源ジャックＨに対応した形状を有する挿着部１１とを有する。凸縁部１２は、接合方向Ｄの厚さを有し、結合部１３と挿着部１１との間に設置される。凸縁部１２は、第１の延伸面１２１及び第２の延伸面１２２を有する。結合部１３は、第２の延伸面１２２に突設される。装飾部材２は、造型部２１と、造型部２１に形成された結合穴２２と、結合穴２２の外端の周面に設けられた装飾結合部２３とを有する。第２の延伸面１２２を受け面として用い、結合穴２２に挿着部材１の結合部１３を接合方向Ｄで取り付けて受け面と装飾結合部２３とを当接及び／又は接合させ、挿着部材１と装飾部材２とを結合させる。【選択図】図２
0003171207.tif 000002
【実用新案登録請求の範囲】
【請求項１】
挿着部材及び装飾部材を備える音源ジャック保護プラグであって、
前記挿着部材は、結合部と、凸縁部と、音源ジャックに対応した形状を有する挿着部と、を有し、前記凸縁部は、接合方向の厚さを有して前記結合部と前記挿着部との間に設置され、前記凸縁部は、前記挿着部の側に設けられた第１の延伸面と、前記結合部の側に設けられた第２の延伸面と、を有し、前記結合部は、前記第２の延伸面に突設され、
前記装飾部材は、造型部と、前記造型部に形成された結合穴と、前記結合穴の外端の周面に設けられた装飾結合部と、を有し、
前記第２の延伸面を受け面として用い、前記結合穴に前記挿着部材の前記結合部を接合方向で取り付けて前記受け面と前記装飾結合部とを当接及び／又は接合させ、前記挿着部材と前記装飾部材とを結合させることを特徴とする音源ジャック保護プラグ。
【請求項２】
前記挿着部は、ヘッドフォンプラグと同じ形状を有することを特徴とする請求項１に記載の音源ジャック保護プラグ。
【請求項３】
前記装飾部材は、前記造型部に接続されたリング部を有することを特徴とする請求項１に記載の音源ジャック保護プラグ。
【請求項４】
前記結合部は、前記挿着部より小さい円柱直径を有する円柱体であることを特徴とする請求項１に記載の音源ジャック保護プラグ。
【請求項５】
前記結合部は、弾性当接部を有することを特徴とする請求項１に記載の音源ジャック保護プラグ。
【請求項６】
前記結合部と前記結合穴との間には、接着層が設けられていることを特徴とする請求項１に記載の音源ジャック保護プラグ。
【請求項７】
前記受け面と前記装飾結合部との間には、接着層が設けられていることを特徴とする請求項１に記載の音源ジャック保護プラグ。
【請求項８】
前記挿着部材は、前記挿着部と前記凸縁部との間に接続された接延部を有することを特徴とする請求項１に記載の音源ジャック保護プラグ。
【請求項９】
前記接延部は可撓性を有することを特徴とする請求項８に記載の音源ジャック保護プラグ。
【請求項１０】
前記凸縁部と前記挿着部とはそれぞれ独立した部材であり、
前記凸縁部は、前記挿着部に向かって突設された保持片を有し、
前記挿着部は、前記保持片に対応する保持穴を有し、前記保持穴に前記保持片を係合させることを特徴とする請求項１に記載の音源ジャック保護プラグ。
【考案の詳細な説明】
【技術分野】
【０００１】
本考案は、音源ジャック保護部材に関し、特に、音源ジャック保護プラグに関する。
【背景技術】
【０００２】
科学技術の発展に伴い電子製品が普及してきている。例えば、携帯電話、携帯音楽プレーヤ、パソコン、携帯型ゲーム機などの電子製品には、音声を聴いたり音楽を再生したりすることができるように、ヘッドフォン、スピーカなどを接続する音源ジャックが設けられているのが一般的である。
【０００３】
音源ジャックは、ヘッドフォン、スピーカなどを接続するのに都合が良いように、電子製品の外表面に設けられているのが一般的であるが、外部から塵、水気、雨水などが入るおそれがある。音源ジャックに塵又は水気が入ると、電気回路の接触不良を起こして音源信号にノイズが入り、最悪の場合だと内部の電気回路が損壊して使用できなくなるおそれがある。ある電子製品にとっては音源ジャックが使用できなくなるということは、その製品自体が使用できなくなることを意味する。
【０００４】
上述の問題が発生することを防ぐために、使用していない音源ジャックに挿着し、塵又は水分が入ることを防ぐ保護プラグがメーカの一部により開発されている。
【考案の概要】
【考案が解決しようとする課題】
【０００５】
しかし、音源ジャックに密着するように保護プラグを挿着した場合、塵又は水分が入ることを防ぐことができるが、音源ジャックから保護プラグを取り外すことが困難となることがある。この問題に鑑み、保護プラグを容易に取り外すことができるように、外側に露出される部分を大きくした製品があるが、構造全体の体積が増大して、他の問題が生じるおそれがある。
【０００６】
本考案の目的は、従来の保護プラグの構造設計上の問題点及び使用上の問題点を解決することができる音源ジャック保護プラグを提供することにある。
【課題を解決するための手段】
【０００７】
上記課題を解決するために、本考案の第１の形態によれば、挿着部材及び装飾部材を備える音源ジャック保護プラグであって、前記挿着部材は、結合部と、凸縁部と、音源ジャックに対応した形状を有する挿着部と、を有し、前記凸縁部は、接合方向の厚さを有し、前記結合部と前記挿着部との間に設置され、前記凸縁部は、前記挿着部の側に設けられた第１の延伸面と、前記結合部の側に設けられた第２の延伸面と、を有し、前記結合部は、前記第２の延伸面に突設され、前記装飾部材は、造型部と、前記造型部に形成された結合穴と、前記結合穴の外端の周面に設けられた装飾結合部と、を有し、前記第２の延伸面を受け面として用い、前記結合穴に前記挿着部材の前記結合部を接合方向で取り付けて前記受け面と前記装飾結合部とを当接及び／又は接合させ、前記挿着部材と前記装飾部材とを結合させることを特徴とする音源ジャック保護プラグが提供される。
【０００８】
前記挿着部は、ヘッドフォンプラグと同じ形状を有することが好ましい。
【０００９】
前記装飾部材は、前記造型部に接続されたリング部を有することが好ましい。
【００１０】
前記結合部は、前記挿着部より小さい円柱直径を有する円柱体であることが好ましい。
【００１１】
前記結合部は、弾性当接部を有することが好ましい。
【００１２】
前記結合部と前記結合穴との間には、接着層が設けられていることが好ましい。
【００１３】
前記受け面と前記装飾結合部との間には、接着層が設けられていることが好ましい。
【００１４】
前記挿着部材は、前記挿着部と前記凸縁部との間に接続された接延部を有することが好ましい。
【００１５】
前記接延部は可撓性を有することが好ましい。
【００１６】
前記凸縁部と前記挿着部とはそれぞれ独立した部材であり、前記凸縁部は、前記挿着部に向かって突設された保持片を有し、前記挿着部は、前記保持片に対応する保持穴を有し、前記保持穴に前記保持片を係合させることが好ましい。
【考案の効果】
【００１７】
本考案の音源ジャック保護プラグは、電子製品の音源ジャックから露出された部分が装飾部材となっているため、ユーザがその装飾部材を手で持って音源ジャックから音源ジャック保護プラグを取り出すことが容易である上、携帯電話の構造設計又は見栄えに悪影響を与えることもない。挿着部材及び装飾部材はそれぞれ独立した部材であるため、大量生産により挿着部材のコストを下げたり、少量生産又は手作りにより装飾部材を繊細に製作したりすることができる。
【図面の簡単な説明】
【００１８】
【図１】図１は本考案の第１実施形態による音源ジャック保護プラグを示す斜視図である。
【図２】図２は本考案の第１実施形態による音源ジャック保護プラグを示す分解斜視図である。
【図３】図３は本考案の第２実施形態による音源ジャック保護プラグを示す分解斜視図である。
【図４】図４は本考案の第３実施形態による音源ジャック保護プラグを示す分解斜視図である。
【図５】図５は本考案の第４実施形態による音源ジャック保護プラグを示す分解斜視図である。
【図６】図６は本考案の第５実施形態による音源ジャック保護プラグを示す分解斜視図である。
【図７】図７は本考案の一実施形態による音源ジャック保護プラグの挿着部材を示す模式図である。
【考案を実施するための形態】
【００１９】
以下、本考案の実施形態について図に基づいて説明する。なお、これによって本考案が限定されるものではない。
【００２０】
（第１実施形態）
図１及び図２を参照する。図１及び図２に示すように、本考案の第１実施形態による音源ジャック保護プラグ１００は、少なくとも挿着部材１及び装飾部材２から構成される。
【００２１】
挿着部材１は、挿着部１１、凸縁部１２及び結合部１３を有する。挿着部１１は、音源ジャックＨに対応した形状である限り様々な形状を有してもよい。本実施形態の挿着部１１は、ヘッドフォンプラグと同じ形状である。挿着部材１の挿着部１１は、塵又は水分が音源ジャックＨから入ることを防ぐために、例えば、携帯電話Ｍの音源ジャックＨ中に挿着される。凸縁部１２は、挿着部１１と結合部１３との間に配置され、接合方向Ｄの厚さＴを有する。凸縁部１２は、挿着部１１の側に設けられた第１の延伸面１２１と、結合部１３の側に設けられた第２の延伸面１２２と、を有する。結合部１３は、第２の延伸面１２２に突設されている。
【００２２】
装飾部材２は、造型部２１、結合穴２２及び装飾結合部２３を有する。造型部２１は、例えば、フィギュア（図１及び図２参照）、宝石（図３参照）、機械部品（図４参照）、可動機構（図５参照）、果物（図６参照）など様々な造型でもよい。結合穴２２は、造型部２１に形成され、結合部１３の穴径と同じ大きさであり、結合部１３を結合させるために用いる。装飾結合部２３は、結合穴２２の外端の周面に位置し、平面状又は曲面状である。
【００２３】
上述の構造により、挿着部材１の凸縁部１２の第２の延伸面１２２を受け面として用い、装飾部材２の結合穴２２に挿着部材１の結合部１３を接合方向Ｄで取り付けて受け面（第２の延伸面１２２）と装飾部材２の装飾結合部２３とを当接及び／又は接合させ、挿着部材１と装飾部材２とを結合させることができる。
【００２４】
携帯電話Ｍの音源ジャックＨに挿着されている音源ジャック保護プラグ１００は、ユーザが装飾部材２を手で持って音源ジャックＨから取り出すことができる上、取り出した後に装飾品が携帯電話Ｍの構造設計又は見栄えに悪影響を与えることを防ぐこともできる。挿着部材１及び装飾部材２は、それぞれ独立した部材であるため、大量生産により挿着部材１のコストを下げたり、少量生産又は手作りにより装飾部材２を繊細に製作したりすることができる。
【００２５】
第１実施形態の装飾部材２の結合部１３は円柱体である。この円柱体（結合部１３）は、挿着部１１より小さい円柱直径を有する。即ち、挿着部１１の幅を結合部１３より大きくすることにより、凸縁部１２により受けられた装飾部材２が挿着部１１により支持され、傾斜することを防ぐことができる。
【００２６】
また、挿着部材１と装飾部材２との結合をさらに強固にするために、結合部１３と結合穴２２との間に接着層３を設けたり、受け面（第２の延伸面１２２）と装飾結合部２３との間に接着層３ａを設けたりしてもよい。勿論、これら２つの箇所のそれぞれに接着層３，３ａを設けてもよい。
【００２７】
（第２実施形態）
図３を参照する。図３に示すように、本考案の第２実施形態による音源ジャック保護プラグ１００ａは、第１実施形態と構成要素が同じであり、第１実施形態と同じ要素には同じ符号が付されてある。
【００２８】
第２実施形態は、装飾部材２の造型部２１ａが宝石（即ち、ダイヤモンド）である点が第１実施形態と異なる。第２実施形態の装飾部材２は、造型部２１ａに接続されたリング部２４を含む。リング部２４には、チェーン２５を取り付けて携帯するのに便利にしたり、カギなどを取り付けるキーリングとしてリング部２４を使用したりすることもできる。また、第２実施形態において、第２の延伸面１２２と装飾結合部２３との間には、装飾部材２と挿着部材１との結合を強化するために、接着層３ａを設けてもよい。
【００２９】
（第３実施形態）
図４を参照する。図４に示すように、本考案の第３実施形態による音源ジャック保護プラグ１００ｂは、第１実施形態と構成要素が同じであり、第１実施形態と同じ要素には同じ符号が付されてある。
【００３０】
第３実施形態は、装飾部材２の造型部２１ｂが機械部品の造型（即ち、ボルトとナットの組み合わせ）である点が第１実施形態と異なる。第３実施形態の造型部２１ｂは、２つ又は３つ以上の要素により構成されてもよい。例えば、造型部２１ｂは、本実施形態ではメイン造型部材２１１（即ち、ボルト）と、メイン造型部材２１１に着脱自在に螺合されたサブ造型部材２１２（即ち、ナット）と、を含み、装飾効果以外の機能を得てもよい。また、結合部１３は、結合穴２２に取り付けられると、弾性力により結合穴２２の穴壁に結合され、結合穴２２から結合部１３が簡単に外れることを防ぐ弾性当接部１３１を有する。
【００３１】
（第４実施形態）
図５を参照する。図５に示すように、本考案の第４実施形態による音源ジャック保護プラグ１００ｃは、第１実施形態と構成要素が同じであり、第１実施形態と同じ要素には同じ符号が付されてある。
【００３２】
第４実施形態は、装飾部材２の造型部２１ｃが可動機構の造型（即ち、スクリュープロペラ）である点が第１実施形態と異なり、軸受部２１３と、軸受部２１３に取り付けられた回転可能な羽根２１４と、を含む。この態様から分かるように、造型部２１ｃは、静的な造型だけに限定されるわけではなく、動的な造型でもよい。しかし、装飾部材２の体積が大きすぎたり幅が広すぎたりした場合、音源ジャックＨに音源ジャック保護プラグ１００ｃが挿着された電子製品を平らに置くことができなくなるおそれがある。そのため、本実施形態の挿着部材１は、挿着部１１と凸縁部１２との間に接続された接延部１４を有する。この接延部１４は、折り曲げた形状からなり、挿着部材１の挿着部１１に対し、装飾部材２の設置方向を変えることができる。
【００３３】
（第５実施形態）
図６を参照する。図６に示すように、本考案の第５実施形態による音源ジャック保護プラグ１００ｄは、第１実施形態と構成要素が同じであり、第１実施形態と同じ要素には同じ符号が付されてある。
【００３４】
第５実施形態は、装飾部材２の造型部２１ｄが果物の造型（即ち、大根）である点が第１実施形態と異なる。第５実施形態の挿着部材１の接延部１４ａは、可撓性を有するバネなどである。挿着部材１に結合された装飾部材２は、接延部１４ａを曲げて設置方向を適宜変えることができるため、音源ジャック保護プラグ１００ｄを所定の場所に設置したり、ポケット又はバッグに入れたりするのに便利である。
【００３５】
図７を参照する。本考案の一実施形態による音源ジャック保護プラグは、挿着部材１の挿着部１１と凸縁部１２とを一体成形してもよいし（図１参照）、図７に示すように、それぞれ独立した部材により構成してもよい。図７に示すように、凸縁部１２は、挿着部１１に向かって突設された保持片１２３（例えば、挿着ピン）を有する。挿着部１１は、保持片１２３に対応した保持穴１１１を有する。保持片１２３を保持穴１１１に係合させると、挿着部１１と凸縁部１２とが結合される。保持片１２３上には、格子模様（ｃｈｅｑｕｅｒｅｄ）、左ねじ（ｌｅｆｔ−ｈａｎｄｅｄ  ｔｈｒｅａｄ）などの係合構造（本実施形態では格子模様）を設け、保持穴１１１との結合力を高めてもよい。この方式の場合、挿着部１１と凸縁部１２とを異なる材料により製造してもよい。例えば、凸縁部１２は、構造応力が強くて装飾部材２を支持するのに適した鉄などの金属材料からなってもよい。挿着部１１は、音源ジャックに密着させることが可能な例えば、ＡＢＳ（Ａｃｒｙｌｏｎｉｔｒｉｌｅ  Ｂｕｔａｄｉｅｎｅ  Ｓｔｙｒｅｎｅ）などの可塑性材料からなってもよい。
【００３６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の保護範囲は、このような変更や修正を含めて広く解釈されるべきである。
【符号の説明】
【００３７】
１  挿着部材
２  装飾部材
３  接着層
３ａ  接着層
１１  挿着部
１２  凸縁部
１３  結合部
１４  接延部
１４ａ  接延部
２１  造型部
２１ａ  造型部
２１ｂ  造型部
２１ｃ  造型部
２１ｄ  造型部
２２  結合穴
２３  装飾結合部
２４  リング部
２５    チェーン
１００  音源ジャック保護プラグ
１００ａ  音源ジャック保護プラグ
１００ｂ  音源ジャック保護プラグ
１００ｃ  音源ジャック保護プラグ
１００ｄ  音源ジャック保護プラグ
１１１  保持穴
１２１  第１の延伸面
１２２  第２の延伸面
１２３  保持片
１３１  弾性当接部
２１１  メイン造型部材
２１２  サブ造型部材
２１３  軸受部
２１４  羽根
Ｈ      音源ジャック
Ｍ      携帯電話
【図１】
0003171207.tif 000003
【図２】
0003171207.tif 000004
【図３】
0003171207.tif 000005
【図４】
0003171207.tif 000006
【図５】
0003171207.tif 000007
【図６】
0003171207.tif 000008
【図７】
0003171207.tif 000009